(57)【要約】      （修正有）【課題】後端のパイプラインのスムーズさを維持し、およびデバイスを保護するフィルター付きのチップ排出装置を提供する。【解決手段】フィルター付きのチップ排出装置であって、ケース１を有し、ケースには切削液を排出するための出口が設けられ、かつこのケースは出口の付近に少なくとも１つの締め具が設けられるが、１つのフィルター３はそれぞれの締め具に接続し、それによってケースに固定され、かつ出口位置に対応する。このフィルターには濾過部材が設けられ、切削液を濾過することに用いられる。【選択図】図１
0003200998.tif 000002
【実用新案登録請求の範囲】
【請求項１】
フィルター付きのチップ排出装置であって、それはケースを有し、該ケースには切削液を排出するための出口が設けられ、かつ該ケースは該出口の付近には、
少なくとも１つの締め具と、
該ケースにおいて該出口に対応する位置に設けられるものであって、それは該締め具に接続し、該締め具を介して該ケースに固定され、かつ濾過部材が設けられ、切削液を濾過することに用いられるフィルターと、が設けられるフィルター付きのチップ排出装置。
【請求項２】
該フィルターはフィルターの内部を観察するための観測窓が設けられる請求項１に記載のフィルター付きのチップ排出装置。
【請求項３】
該フィルターは水位検出器が設けられる請求項１に記載のフィルター付きのチップ排出装置。
【請求項４】
該ケースは該出口の付近に３つの締め具が設けられ、かつそれぞれの締め具は該出口の異なる側に分布し、それぞれの締め具の一端は該ケースに接続し、他端は屈曲して該ケースと隙間を離れ、
該フィルターは嵌合部を拡張し、該フィルターは該嵌合部がそれぞれの締め具と該ケースとの隙間に嵌めこむことで、該ケースに固定される請求項１に記載のフィルター付きのチップ排出装置。
【請求項５】
そのうちの２つの締め具はそれぞれ該出口の左右の両側に設けられ、かつもう１つの締め具が該出口の下方に設けられる請求項４に記載のフィルター付きのチップ排出装置。
【考案の詳細な説明】
【技術分野】
【０００１】
本案はチップ排出装置に関し、特にフィルター付きのチップ排出装置（Chip Conveyor）に関する。
【背景技術】
【０００２】
従来のチップ排出装置は加工機からのチップおよび切削液を受けた後に、切削液を回収して再利用するために、切削液はチップ排出装置内において、まず、ドラム濾過網により初期濾過し、大部分のチップをフィルタリングした後に、さらに輸送管路に沿って処理デバイスまで輸送して処理する。
【０００３】
しかしながら、該ドラム濾過網は破損する可能性があり、破損したら、チップが切削液とともに排出され、従って輸送パイプラインに沈着し、さらに後端の処理デバイスに入って多くのデバイス装置の破損を引き起こす。そのため、改良する必要がある。
【考案の概要】
【考案が解決しようとする課題】
【０００４】
本案の主な目的はフィルター付きのチップ排出装置を提供することにあり、それは切削液の排出口にフィルターが設けられ、チップを濾別するために用いられ、従って後端のパイプラインのスムーズさを維持し、およびデバイスを保護する。
【図面の簡単な説明】
【０００５】
【図１】本案の立体模式図である。
【図２】本案の部分の立体分解模式図である。
【図３】本案のフィルターの側方向平面の模式図である。
【図４】本案のフィルターの上面平面の模式図である。
【図５】本案の他の一実施形態の部分立体分解模式図である。
【考案を実施するための形態】
【０００６】
図１を参照し、本案は提供されたフィルター付きのチップ排出装置を示し、その外部にはケース１を有し、かつ該ケース１内に輸送ベルト１１およびドラム濾過網１２を収容する。このチップ排出装置は加工機からのチップおよび切削液を受けることに用いられる。また、切削液は該ドラム濾過網１２により初期濾過した後にチップと分離し、該ケース１に設けられた出口を介してチップ排出装置の外部に排出する。
【０００７】
図２に示すように、該出口１３は該ケース１に設けられ、その付近に少なくとも１つの締め具が設けられ、フィルター３を該ケース１に固定させることに用いられる。本実施例において、該ケース１は該出口１３の付近に３つの締め具２Ａ、２Ｂが設けられ、かつそれぞれの締め具２Ａ、２Ｂは該出口１３の異なる側に分布する。詳細的に、そのうちの２つの締め具２Ａはそれぞれ該出口１３の左、右の両側に分布するが、もう１つの締め具２Ｂは該出口１３の下方に設けられる。それぞれの締め具２Ａ、２Ｂはそれぞれ該出口１３から離れる第１端２１および該出口１３に近寄る第２端２２を有し、また、該第１端２１が該ケース１に固定接続されるが、該第２端２２が屈曲状を形成し、かつ該ケース１と隙間２３を離れる。
【０００８】
他方、該フィルター３は本体３１を有し、該本体３１の一側面には濾過部材が設けられ、本実施例において濾過網３２であり、切削液を濾過することに用いられる。また、該本体３１のもう１つの側面には観測窓３３が設けられ、使用者がそれを介してフィルター３の内部状況を観察する。該観測窓３３が使用者の観察を便利にする一側に設けられることが好ましい。また、図５に示すように、該本体３１のもう１つの側面には水位検出器３５が設置することもでき、該フィルター３内の水位高度を検出することに用いられる。
【０００９】
該フィルター３の本体３１は嵌合部を拡張し、本実施例において、該嵌合部は該本体３１の一側に設けられた側板３４から形成する。該側板３４の左右の両側縁３４１および底縁３４２が該本体３１を超えることで、前記嵌合部を制限して形成する。また、該フィルター３は該側板３４によりそれぞれの締め具２Ａ、２Ｂと該ケース１との隙間２３に嵌めこむことで、該フィルター３を該ケース１に固定させる。図２に示すように、該フィルター３は側板３４により該ケース１に当接し、続いて下へ移動し、該側板３４の左、右の両側縁３４１を、図３に示すように該出口の左、右の両側の締め具２Ａと嵌め合い、かつ該側板３４の底縁３４２は、図４に示すように該出口の下方の締め具２Ｂと嵌め合う。該側板３４は３つの締め具２Ａ、２Ｂと同時にしっかりと嵌め合うことで、該フィルター３を該ケース１に固定させ、かつ該フィルター３の位置が該出口１３に対応し、切削液が該出口１３から排出した後に続いて該フィルター３に注入することができ、かつ該濾過網３２によりチップをフィルタリングし、さらに切削液を排出する。
【００１０】
本案によれば、切削液が回収処理を行う処理デバイスまで輸送する前に、まず該ケース１内部のドラム濾過網１２を介して初期濾過し、さらに該ケース１の外部のフィルター３により２番目の濾過を行い、切削液におけるチップをフィルタリングすることで、チップが後端のパイプラインに沈着することを避け、そのスムーズさを維持すると同時に、チップが処理デバイスに入ってそれを破損することを避けることができる。
【００１１】
以上、本案のいくつかの実施例を説明したが、これらの実施例は本案の範囲を限定することは意図していない。あらゆる同等のコンポーネントの置換も本案の範囲に属する。
【００１２】
要するに、当業者は本案が確実に前記目的を実現することができることを了解させ、特許法の規定に合致し、特許法に基づいて出願する。
【符号の説明】
【００１３】
ケース１              輸送ベルト１１
ドラム濾過網１２      出口１３
締め具２Ａ、２Ｂ      第１端２１
第２端２２            隙間２３
フィルター３          本体３１
濾過網３２            観測窓３３
側板３４              側縁３４１
底縁３４２            水位検出器３５
【図１】
0003200998.tif 000003
【図２】
0003200998.tif 000004
【図３】
0003200998.tif 000005
【図４】
0003200998.tif 000006
【図５】
0003200998.tif 000007